【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
複数のソース信号線と、複数のゲート信号線と、複数の画素トランジスタとを有する画素部と、ソース信号線駆動回路とを基板上に一体形成した表示装置の駆動回路において、
前記ソース信号線駆動回路は、
ｎビットデジタル画像信号が入力され、ｎビットデジタル階調に対応したアナログ画像信号に変換し、出力するＤ／Ａ（デジタル／アナログ）変換回路と、
前記アナログ画像信号を順次サンプリングするサンプリング回路とを有することを特徴とする表示装置の駆動回路。
【請求項２】
複数のソース信号線と、複数のゲート信号線と、複数の画素トランジスタとを有する画素部と、ソース信号線駆動回路とを基板上に一体形成した表示装置の駆動回路において、
前記ソース信号線駆動回路は、
直列のｎビットデジタル画像信号が入力され、前記ｎビットデジタル画像信号の長さをｍ倍に伸張し、ｍ個並列のｎビットデジタル画像信号に分割し、出力するＳ／Ｐ（シリアル／パラレル）変換回路と、
前記Ｓ／Ｐ（シリアル／パラレル）変換回路からの出力信号を、ｎビットデジタル階調に対応したアナログ画像信号に変換するＤ／Ａ（デジタル／アナログ）変換回路と、
前記アナログ画像信号を順次サンプリングするサンプリング回路とを有することを特徴とする表示装置の駆動回路。
【請求項３】
複数のソース信号線と、複数のゲート信号線と、複数の画素トランジスタとを有する画素部と、ソース信号線駆動回路とを基板上に一体形成した表示装置の駆動回路において、
前記ソース信号線駆動回路は、
基準クロック信号が入力され、前記基準クロック信号のクロック周波数を伸張することにより、異なる周波数を有する複数のクロック信号を生成するクロック生成回路と、
直列のｎビットデジタル画像信号が入力され、前記ｎビットデジタル画像信号の長さをｍ倍に伸張し、ｍ個並列のｎビットデジタル画像信号に分割し、出力するＳ／Ｐ（シリアル／パラレル）変換回路と、
前記Ｓ／Ｐ（シリアル／パラレル）変換回路からの出力信号を、ｎビットデジタル階調に対応したアナログ画像信号に変換するＤ／Ａ（デジタル／アナログ）変換回路と、
前記アナログ画像信号を順次サンプリングするサンプリング回路とを有し、
前記Ｓ／Ｐ（シリアル／パラレル）変換回路と、前記サンプリング回路とはそれぞれ、前記クロック生成回路によって、同一の前記基準クロック信号より生成されたクロック信号によって駆動されることを特徴とする表示装置の駆動回路。
【請求項４】
複数のソース信号線と、複数のゲート信号線と、複数の画素トランジスタとを有する画素部と、ソース信号線駆動回路とを基板上に一体形成した表示装置の駆動回路において、
前記ソース信号線駆動回路は、
直列のｎビットデジタル画像信号が入力され、前記ｎビットデジタル画像信号の長さをｍ倍に伸張し、ｍ個並列のｎビットデジタル画像信号に分割し、出力するＳ／Ｐ（シリアル／パラレル）変換回路と、
前記Ｓ／Ｐ（シリアル／パラレル）変換回路からの出力信号を、ｎビットデジタル階調に対応したアナログ画像信号に変換するＤ／Ａ（デジタル／アナログ）変換回路と、
前記アナログ画像信号を順次サンプリングするサンプリング回路とを有し、
前記直列のｎビットデジタル画像信号は、ｋ個並列に、第１〜第ｋの前記Ｓ／Ｐ（シリアル／パラレル）変換回路に入力され、第１〜第ｋの前記Ｓ／Ｐ（シリアル／パラレル）変換回路からの出力信号はそれぞれ第１〜第ｋのＤ／Ａ（デジタル／アナログ）変換回路に入力され、
ｋ個のサンプリング信号が同時に出力されることにより、ｋ本のソース信号線への信号の書き込みが同時に行われることを特徴とする表示装置の駆動回路。
【請求項５】
複数のソース信号線と、複数のゲート信号線と、複数の画素トランジスタとを有する画素部と、ソース信号線駆動回路とを基板上に一体形成した表示装置の駆動回路において、
前記ソース信号線駆動回路は、
基準クロック信号が入力され、前記基準クロック信号のクロック周波数を伸張することにより、異なる周波数を有する複数のクロック信号を生成するクロック生成回路と、
直列のｎビットデジタル画像信号が入力され、前記ｎビットデジタル画像信号の長さをｍ倍に伸張し、ｍ個並列のｎビットデジタル画像信号に分割し、出力するＳ／Ｐ（シリアル／パラレル）変換回路と、
前記Ｓ／Ｐ（シリアル／パラレル）変換回路からの出力信号を、ｎビットデジタル階調に対応したアナログ画像信号に変換するＤ／Ａ（デジタル／アナログ）変換回路と、
前記アナログ画像信号を順次サンプリングするサンプリング回路とを有し、
前記Ｓ／Ｐ（シリアル／パラレル）変換回路と、前記サンプリング回路とはそれぞれ、前記クロック生成回路によって、同一の前記基準クロック信号より生成されたクロック信号によって駆動され、
前記直列のｎビットデジタル画像信号は、ｋ個並列に、第１〜第ｋの前記Ｓ／Ｐ（シリアル／パラレル）変換回路に入力され、第１〜第ｋの前記Ｓ／Ｐ（シリアル／パラレル）変換回路からの出力信号はそれぞれ第１〜第ｋのＤ／Ａ（デジタル／アナログ）変換回路に入力され、
ｋ個のサンプリング信号が同時に出力されることにより、ｋ本のソース信号線への信号の書き込みが同時に行われることを特徴とする表示装置の駆動回路。
【請求項６】
複数のソース信号線と、複数のゲート信号線と、複数の画素トランジスタとを有する画素部と、ソース信号線駆動回路とを基板上に一体形成した表示装置の駆動方法において、
ｍ個の並列ｎビットデジタル画像信号をそれぞれＤ／Ａ（デジタル／アナログ）変換回路に入力し、前記ｎビットデジタル階調に対応したアナログ画像信号に変換するステップと、
前記Ｄ／Ａ（デジタル／アナログ）変換回路から出力された前記ｎビットデジタル階調に対応したアナログ信号をサンプリングするステップと、
を有することを特徴とする表示装置の駆動方法。
【請求項７】
複数のソース信号線と、複数のゲート信号線と、複数の画素トランジスタとを有する画素部と、ソース信号線駆動回路とを基板上に一体形成した表示装置の駆動方法において、
ｎビットデジタル画像信号をＳ／Ｐ（シリアル／パラレル）変換回路に入力し、前記ｎビットデジタル画像信号の長さをｍ倍に伸張し、ｍ個の並列ｎビットデジタル画像信号に分割し、出力するステップと、
前記Ｓ／Ｐ（シリアル／パラレル）変換回路からの出力信号をそれぞれＤ／Ａ（デジタル／アナログ）変換回路に入力し、ｎビットデジタル階調に対応したアナログ画像信号に変換するステップと、
前記Ｄ／Ａ（デジタル／アナログ）変換回路から出力された前記ｎビットデジタル階調に対応したアナログ画像信号をサンプリングするステップと、
を有することを特徴とする表示装置の駆動方法。
【請求項８】
複数のソース信号線と、複数のゲート信号線と、複数の画素トランジスタとを有する画素部と、ソース信号線駆動回路とを基板上に一体形成した表示装置の駆動方法において、
基準クロック信号をクロック生成回路に入力し、前記基準クロック信号の周波数を伸張することにより、異なる周波数を有する複数のクロック信号を出力するステップと、
ｎビットデジタル画像信号をＳ／Ｐ（シリアル／パラレル）変換回路に入力し、前記ｎビットデジタル画像信号の長さをｍ倍に伸張し、ｍ個の並列ｎビットデジタル画像信号に分割し、出力するステップと、
前記Ｓ／Ｐ（シリアル／パラレル）変換回路からの出力信号をそれぞれＤ／Ａ（デジタル／アナログ）変換回路に入力し、ｎビットデジタル階調に対応したアナログ画像信号に変換するステップと、
前記Ｄ／Ａ（デジタル／アナログ）変換回路から出力された前記ｎビットデジタル階調に対応したアナログ画像信号をサンプリングするステップと、
を有することを特徴とする表示装置の駆動方法。
【請求項９】
複数のソース信号線と、複数のゲート信号線と、複数の画素トランジスタとを有する画素部と、ソース信号線駆動回路とを基板上に一体形成した表示装置の駆動方法において、
基準クロック信号をクロック生成回路に入力し、前記基準クロック信号の周波数を伸張することにより、異なる周波数を有する複数のクロック信号を出力するステップと、
直列ｎビットデジタル画像信号をＳ／Ｐ（シリアル／パラレル）変換回路に入力し、前記ｎビットデジタル画像信号の長さをｍ倍に伸張し、ｍ個の並列ｎビットデジタル画像信号に分割し、出力するステップと、
前記Ｓ／Ｐ（シリアル／パラレル）変換回路からの出力信号をそれぞれＤ／Ａ（デジタル／アナログ）変換回路に入力し、ｎビットデジタル階調に対応したアナログ画像信号に変換するステップと、
前記Ｄ／Ａ（デジタル／アナログ）変換回路から出力された前記ｎビットデジタル階調に対応したアナログ画像信号をサンプリングするステップとを有し、
前記直列のｎビットデジタル画像信号は、ｋ個並列に、第１〜第ｋの前記Ｓ／Ｐ（シリアル／パラレル）変換回路に入力され、第１〜第ｋの前記Ｓ／Ｐ（シリアル／パラレル）変換回路からの出力信号はそれぞれ第１〜第ｋのＤ／Ａ（デジタル／アナログ）変換回路に入力され、
１つのサンプリング信号の出力により、ｋ本のソース信号線への信号の書き込みが同時に行われることを特徴とする表示装置の駆動方法。
【請求項１０】
請求項１乃至請求項５のいずれか１項に記載の表示装置の駆動回路を用いることを特徴とする表示装置。
【請求項１１】
請求項１乃至請求項５のいずれか１項に記載の表示装置の駆動回路を用いることを特徴とするテレビ。
【請求項１２】
請求項１乃至請求項５のいずれか１項に記載の表示装置の駆動回路を用いることを特徴とするパーソナルコンピュータ。
【請求項１３】
請求項１乃至請求項５のいずれか１項に記載の表示装置の駆動回路を用いることを特徴とする携帯端末。
【請求項１４】
請求項１乃至請求項５のいずれか１項に記載の表示装置の駆動回路を用いることを特徴とするビデオカメラ。
【請求項１５】
請求項１乃至請求項５のいずれか１項に記載の表示装置の駆動回路を用いることを特徴とするプロジェクタ。